(57)【要約】【課題】      接合部は接着剤を介して接合すると共に接合部の内側に沿って縫着して接合部を補強した釣り用靴・ウェ−ダを提供することである。【解決手段】  ソックス部１は、柔軟性と防水性と伸縮性を有する発泡ゴムや発泡合成樹脂で形成され、例えば、クロロプレ−ンゴム、ウレタン等の発泡材シ−トで形成され、底材２の上に左右の内側胴部３と外側胴部４が接着剤５で貼り合わせで固定され、接合部ａの内側は糸６でかがり縫いで縫着されて底材２と内側胴部３と外側胴部４で袋状に形成されている。  接合部ａの外側は接合部ａを覆うようにカバ−体７が貼着されている。  カバ−体７の材質は、ソックス部１の発泡材シ−トより伸びの小さい材料で形成され、ナイロンなどの織布や合成樹脂シ−トが用いられる。【選択図】        図３
2010125189.tif 000002
【特許請求の範囲】
【請求項１】
発泡材のシ−トを接合して形成したソックス部を有する釣り用靴・ウェ−ダにおいて、前記接合部は接着剤を介して接合すると共に前記接合部の内側に沿って縫着したことを特徴とする釣り用靴・ウェ−ダ。
【請求項２】
接合部の外側に沿って接合部を覆うカバ−体を設けたことを特徴とする請求項１に記載の釣り用靴・ウェ−ダ。
【請求項３】
カバ−体は、発泡材シ−トより伸びの小さい材料で形成したことを特徴とする請求項２に記載の釣り用靴・ウェ−ダ。
【請求項４】
カバ−体は、織布で形成したことを特徴とする請求項２または３に記載の釣り用靴・ウェ−ダ。
【請求項５】
カバ−体は、合成樹脂層で形成したことを特徴とする請求項２または３に記載の釣り用靴・ウェ−ダ。
【発明の詳細な説明】
【技術分野】
【０００１】
本発明は、発泡材のシ−トを接合してソックス部を形成した釣り用靴・ウェ−ダに関する。
【背景技術】
【０００２】
従来から釣りにおいて、一般的な長靴、胴長靴（ウェ−ダ）やストッキングやタイツ状に形成して釣人が好みの釣り用靴やタビを履くようにしたストッキングウェ−ダ等の釣り用靴やウェ−ダが用いられている。
これら釣り用靴・ウェ−ダは特許文献１のようにクロロプレ−ン等の防水素材からなる各パ−ツの対応する縁部同士を接着剤を介して接合した後、その表面側を、所望の強度を備えた糸ですくい縫いにより縫い合わせて形成している。
上記のように接合部の表面側に縫着部を形成すると、ソックス部に足を挿入した時に、つま先等の接合部は足によって内側から押圧されると、接合部が外面側に膨出するように膨らむこととなる。
したがって、接合部の外面側に縫着部を形成すると、内側は補強されていないので弱く、縫目が広がりやすく、これが使用によって広げられると縫目が裂けたり、孔が広がって水漏れの原因になりやすい。
【特許文献１】実用新案登録第２５２７０７８号公報
【発明の開示】
【発明が解決しようとする課題】
【０００３】
解決しようとする問題点は、防水素材からなる各パ−ツの対応する縁部同士を接着剤を介して接合した後、その表面側を、糸ですくい縫いにより縫い合わせて形成しているので、ソックス部に足を挿入した時に、つま先等の接合部は足によって内側から押圧されると、接合部が外面側に膨出するように膨らみ、内側は補強されていないので弱く、縫目が広がりやすく、これが使用によって広げられると縫目が裂けたり、孔が広がって水漏れの原因になりやすいことである。
【０００４】
本発明の目的は前記欠点に鑑み、接合部は接着剤を介して接合すると共に接合部の内側に沿って縫着して接合部を補強した釣り用靴・ウェ−ダを提供することである。
【課題を解決するための手段】
【０００５】
本発明の請求項１は、発泡材のシ−トを接合して形成したソックス部を有する釣り用靴・ウェ−ダにおいて、前記接合部は接着剤を介して接合すると共に前記接合部の内側に沿って縫着したことを要旨とするものである。
本発明の請求項２は、接合部の外側に沿って接合部を覆うカバ−体を設けたことを要旨とするものである。
本発明の請求項３は、カバ−体は、発泡材シ−トより伸びの小さい材料で形成したことを要旨とするものである。
本発明の請求項４は、カバ−体は、織布で形成したことを要旨とするものである。
本発明の請求項５は、カバ−体は、合成樹脂層で形成したことを要旨とするものである。
【発明の効果】
【０００６】
本発明の請求項により、ソックス部の接合部は、接合部の内側に沿って縫着しているため、外側を縫着した場合に比較して足を差し込んだ時の伸びが小さく、縫着した糸の縫目が広がり難く、接合部の破損を防止して接合部の補強ができる。
接合部の外側をカバ−体で覆ったため、接合部の外側からの破損が防止される。
カバ−体はソックス部を形成する発泡材シ−トの伸びを規制するため、接合部の広がりが防止され、内側の縫着による縫目の広がりを防止することができる。
接合部の内側に沿って縫着した糸が覆うため、接合部の内側に足の指が触れた時に当たり感が柔らかくなり、履き心地が良くなる。
【発明を実施するための最良の形態】
【０００７】
ソックス部１は、柔軟性と防水性と伸縮性を有する発泡ゴムや発泡合成樹脂で形成され、例えば、クロロプレ−ンゴム、ウレタン等の発泡材シ−トで形成され、底材２の上に左右の内側胴部３と外側胴部４が接着剤５で貼り合わせで固定され、接合部ａの内側は糸６でかがり縫いで縫着されて底材２と内側胴部３と外側胴部４で筒状に形成されている。
接合部ａの外側は接合部ａを覆うようにカバ−体７が貼着されている。
カバ−体７の材質は、ソックス部１の発泡材シ−トより伸びの小さい材料で形成され、織布やナイロンなどの合成樹脂シ−トが用いられる。
【実施例１】
【０００８】
以下、図示の実施例によって本発明を説明すると、図１から図３は第１実施例で、図１は靴・ウェ−ダのソックス部の斜視図、図２は釣り用靴・ウェ−ダのソックス部の分解斜視図、図３は釣り用靴・ウェ−ダのソックス部の内部の一部を示す断面側面図ある。
【０００９】
釣り用靴・ウェ−ダのソックス部１は、柔軟性と防水性と伸縮性を有する発泡ゴムや発泡合成樹脂などで形成し、例えばクロロプレ−ンゴム、ウレタン等の発泡材シ−トで形成され、底材２の上に左右の内側胴部３と外側胴部４が接着剤５で貼り合わせで固定され、接合部ａの内側は糸６でかがり縫いで縫着されて底材２と内側胴部３と外側胴部４で袋状に形成されている。
接合部ａの外側は接合部ａを覆うようにカバ−体７が貼着されている。
カバ−体７の材質は、ソックス部１の発泡材シ−トより伸びの小さい材料で形成され、ナイロンなどの織布や合成樹脂シ−トが用いられる。
【００１０】
釣り用靴・ウェ−ダのソックス部１が底材２と内側胴部３と外側胴部４が接着剤５で貼り合わせで固定され、接合部ａの内側は糸６でかがり縫いで縫着されて形成され、接合部ａの外側は接合部ａを覆うようにカバ−体７が接合部ａに沿って貼着されていると、足をソックス部１の中に差し込んだ時の接合部ａの伸びが小さく、縫着した縫目が広がり難くい。
【００１１】
前記のように釣り用靴・ウェ−ダが構成されていると、ソックス部１の接合部ａは、接合部ａの内側に沿って糸６でかがり縫いで縫着しているため、外側を縫着した場合に比較して足を差し込んだ時の伸びが小さく、縫着した糸の縫目が広がり難く、接合部ａの破損を防止して接合部ａの補強ができる。
接合部ａの外側をカバ−体７で覆ったため、接合部ａの外側からの破損が防止される。
カバ−体７はソックス部１を形成する発泡材シ−トの伸びを規制するため、接合部ａの広がりが防止され、内側の縫着による縫目の広がりを防止することができる。
接合部ａの内側に沿って縫着した糸が覆うため、接合部ａの内側に足の指が触れた時に当たり感が柔らかくなり、履き心地が良くなる。
【実施例２】
【００１２】
図４は第２実施例で、図４は釣り用靴・ウェ−ダのソックス部を靴に形成した内部の一部を示す断面側面図である。
【００１３】
第２実施例の釣り用靴・ウェ−ダは、ソックス部１が底材２と胴部３、４がそれぞれ接着剤５で貼り合わせで固定され、接合部ａの内側は糸６でかがり縫いで縫着されて形成され、接合部ａの外側には合成樹脂を肉盛りした合成樹脂層からなるカバ−体７′が設けられ、接合部ａの上下と底材２を覆うようにゴムシ−トからなる補強部材８が設けられている。
補強部材８の底部にはゴムやフェルト等からなる靴底９が貼着されて靴１０が構成されている。
他の構成は前記第１実施例と略同一である。
【実施例３】
【００１４】
図５は第３実施例で、図５はソックス部を短靴に形成した斜視図である。
【００１５】
第３実施例ではソックス部１′の底材の裏側に靴底９が固定されて短靴１１としている。
靴底にはゴムやフェルトが使用される。
このように、ソックス状のまま使用する他に、靴底を取り付けて使用することが出来る。
【実施例４】
【００１６】
図６は第４実施例で、図６はソックス部を長靴に形成した斜視図である。
【００１７】
第４実施例ではソックス部１″の底材の裏側に靴底９が固定されて長靴１２としている。
なお、ソックス部１″の外側が補強材で覆われていてもよい。
【実施例５】
【００１８】
図７は第５実施例で、図７はソックス部と胴部ウェ−ダが一体の斜視図である。
【００１９】
第５実施例では釣り用胴部１３にソックス部１が一体的に固定されている。
胴部１３はクロロプレ−ンゴム等で形成されている。
【実施例６】
【００２０】
図８は第５実施例で、図８は長靴付ウェ−ダの斜視図である。
【００２１】
第５実施例では釣り用胴部１３に靴１０が固定されている。
【産業上の利用可能性】
【００２２】
本発明は釣り用靴やウェ−ダ全般に利用できる。
【図面の簡単な説明】
【００２３】
【図１】第１実施例で、靴・ウェ−ダのソックス部の斜視図である。
【図２】同釣り用靴・ウェ−ダのソックス部の分解斜視図である。
【図３】同釣り用靴・ウェ−ダのソックス部の内部の一部を示す断面側面図である。
【図４】第２実施例で、釣り用靴・ウェ−ダのソックス部を靴に形成した内部の一部を示す断面側面図である。
【図５】第３実施例で、ソックス部を短靴に形成した斜視図である。
【図６】第４実施例で、ソックス部を長靴に形成した斜視図である。
【図７】第５実施例で、ソックス部と胴部ウェ−ダが一体の斜視図である。
【図８】第６実施例で、長靴付ウェ−ダの斜視図である。
【符号の説明】
【００２４】
１、１′、１″  ソックス部
５  接着剤
７、７′  カバ−体
ａ  接合部
【図１】
2010125189.tif 000003
【図２】
2010125189.tif 000004
【図３】
2010125189.tif 000005
【図４】
2010125189.tif 000006
【図５】
2010125189.tif 000007
【図６】
2010125189.tif 000008
【図７】
2010125189.tif 000009
【図８】
2010125189.tif 000010